(57)【特許請求の範囲】
【請求項１】
無線アクセスネットワークにおいてブロードキャストシステム情報を送信する送信装置と、前記ブロードキャストシステム情報を受信する受信装置を含むシステムであって、
前記送信装置は、
ブロードキャスト制御論理チャネルのマスター情報ブロックを含む第１のシステム情報を、ブロードキャストトランスポートチャネルにマッピングし、ブロードキャスト制御論理チャネルのシステム情報ブロックを含む第２のシステム情報を、動的に割り当てるリソースにより送信が可能な共有トランスポートチャネルにマッピングする、マッピング部と、
前記第１のシステム情報を前記ブロードキャストトランスポートチャネルを介して受信装置へ送信し、前記第２のシステム情報を前記共有トランスポートチャネルを介して前記動的に割り当てるリソースにより前記受信装置へ送信する、送信部と、
を備え、
前記受信装置は、
前記ブロードキャスト制御論理チャネルのマスター情報ブロックを含む第１のシステム情報をブロードキャストトランスポートチャネルを介して前記送信装置から受信し、
前記ブロードキャスト制御論理チャネルのシステム情報ブロックを含む第２のシステム情報を、前記動的に割り当てられたリソースにより受信が可能な前記共有トランスポートチャネルを介して、前記動的に割り当てられたリソースにより前記送信装置から受信する受信部と、
前記ブロードキャストトランスポートチャネルにマッピングされた前記第１のシステム情報を取得し、
前記共有トランスポートチャネルにマッピングされた前記第２のシステム情報を取得する取得部と、
を含む、システム。
【請求項２】
前記送信装置は、前記共有トランスポートチャネルにマッピングされた前記第２のシステム情報の送信に関連付けられる物理制御チャネル信号により、前記第２のシステム情報を前記受信装置が取得するための情報を通知する通知部を含む、
請求項１に記載のシステム。
【請求項３】
前記送信装置における前記第２のシステム情報を前記受信装置が取得するための情報は、前記第２のシステム情報を前記動的に割り当てるリソースのサイズに関する情報を含む、
請求項２に記載のシステム。
【請求項４】
前記送信装置における前記第２のシステム情報を前記共有トランスポートチャネルを介して送信する送信部において、前記第２のシステム情報を前記受信装置に取得させるために所定の識別子を使用する、
請求項１から３のいずれかに記載のシステム。
【請求項５】
前記受信装置は、前記共有トランスポートチャネルにマッピングされた前記第２のシステム情報の受信に関連付けられる物理制御チャネル信号により、前記第２のシステム情報を前記受信装置が取得するための情報の通知を受信する通知受信部を含む、
請求項１から４のいずれかに記載のシステム。
【請求項６】
前記受信装置における前記第２のシステム情報を前記受信装置が取得するための情報は、前記動的に割り当てられたリソースのサイズに関する情報を含む、
請求項５に記載のシステム。
【請求項７】
前記受信装置における前記第２のシステム情報を前記共有トランスポートチャネルを介して受信する受信部において、前記第２のシステム情報を取得するために所定の識別子を使用する、
請求項１から６のいずれかに記載のシステム。
【請求項８】
前記送信装置は基地局である、請求項１から７のいずれかに記載のシステム。
【請求項９】
前記受信装置はユーザ機器（ＵＥ）である、請求項１から８のいずれかに記載のシステム。
【発明の詳細な説明】
【技術分野】
【０００１】
本発明は、無線アクセスネットワークにおいてブロードキャストシステム情報を送信する送信装置とブロードキャストシステム情報を受信する受信装置とを含むシステムに関する。
【背景技術】
【０００２】
Ｗ−ＣＤＭＡ（Wideband Code Division Multiple Access：広帯域符号分割多元接続）は、第３世代のワイヤレス移動体通信システムとして使用する目的で標準化されたＩＭＴ−２０００システム（International Mobile Telecommunication system：国際移動体通信システム）の無線インタフェースである。Ｗ−ＣＤＭＡは、音声サービスやマルチメディア移動体通信サービスといったさまざまなサービスをフレキシブルかつ効率的に提供する。日本、欧州、米国、およびその他の国における標準化機関は、Ｗ−ＣＤＭＡの共通の無線インタフェース仕様を策定する目的で、３ＧＰＰ（第３世代パートナーシッププロジェクト）と呼ばれるプロジェクトを共同して組織した。
【０００３】
ＩＭＴ−２０００の欧州における標準化バージョンは、一般にＵＭＴＳ（Universal Mobile Telecommunication System：ユニバーサル移動体通信システム）と呼ばれている。ＵＭＴＳ仕様の最初のリリースは、１９９９年に公開された（リリース９９）。その後、３ＧＰＰにより、リリース４、リリース５、リリース６において、この標準に対するいくつかの改良が標準化された。現在、リリース７および「Study Item on Evolved UTRA and UTRAN」の範囲内において、さらなる改良の議論が進められている。
【０００４】
ＵＭＴＳのアーキテクチャ
図１は、ＵＭＴＳ（Universal Mobile Telecommunication System）のリリース９９／４／５における高レベルアーキテクチャを示している（非特許文献１を参照（この文書は本文書に参照によって援用し、http://www.3gpp.orgから入手可能））。ＵＭＴＳシステムは、それぞれが所定の機能を有する複数のネットワーク要素から構成されている。これらのネットワーク要素はそれぞれの機能によって定義されているのに対し、ネットワーク要素の物理的な実装は一般に類似しているが、このことは必須ではない。
【０００５】
ネットワーク要素は、それぞれの機能に基づき、コアネットワーク（ＣＮ：Core Network）１０１と、ＵＭＴＳ地上無線アクセスネットワーク（ＵＴＲＡＮ：UMTS Terrestrial Radio Access Network）１０２と、ユーザ機器（ＵＥ：User Equipment）１０３とにグループ化されている。ＵＴＲＡＮ１０２は、無線に関連するすべての機能を扱う役割を担い、ＣＮ１０１は、外部ネットワークへの呼およびデータ接続をルーティングする役割を担う。これらネットワーク要素の相互接続は、オープンインタフェース（Ｉｕ、Ｕｕ）によって定義されている。なお、ＵＭＴＳシステムはモジュール方式であり、従って、同じタイプのいくつかのネットワーク要素を備えることが可能である。
【０００６】
以下では、２つの異なるアーキテクチャについて説明する。これらのアーキテクチャは、ネットワーク要素の間での機能の論理的な分散に基づいて定義されている。実際のネットワーク配備においては、各アーキテクチャにおいて物理的な実装が異なっていてもよく、すなわち、２つ以上のネットワーク要素を単一の物理ノードにまとめることができる。
【０００７】
図２は、ＵＴＲＡＮの現在のアーキテクチャを示している。複数の無線ネットワークコントローラ（ＲＮＣ：Radio Network Controller）２０１，２０２がＣＮ１０１に接続されている。ＲＮＣ２０１，２０２は、機能的には、自身のドメイン内の無線リソースを所有し、これらを制御しており、通常、アクセスネットワーク側における無線リソース制御プロトコルを終端処理する。ＲＮＣ２０１，２０２のそれぞれは、１つまたはいくつかの基地局（ノードＢ）２０３，２０４，２０５，２０６を制御し、これらの基地局がユーザ機器と通信する。いくつかの基地局を制御するＲＮＣを、これらの基地局の制御ＲＮＣ（Ｃ−ＲＮＣ：Controlling RNC）と称する。制御される一連の基地局とそれらのＣ−ＲＮＣを、まとめて無線ネットワークサブシステム（ＲＮＳ：Radio Network Subsystem）２０７，２０８と称する。ユーザ機器とＵＴＲＡＮとの間の接続のそれぞれにおいて、一つのＲＮＳがサービングＲＮＳ（Ｓ−ＲＮＳ：Serving RNS）である。Ｓ−ＲＮＳは、コアネットワーク（ＣＮ）１０１とのいわゆるＩｕ接続を維持する。必要な場合、図３に示したように、ドリフトＲＮＳ（Ｄ−ＲＮＳ：Drift RNS）３０２が、無線リソースを提供することによってサービングＲＮＳ（Ｓ−ＲＮＳ）３０１をサポートする。それぞれのＲＮＣを、サービングＲＮＣ（Ｓ−ＲＮＣ）およびドリフトＲＮＣ（Ｄ−ＲＮＣ）と称する。Ｃ−ＲＮＣとＤ−ＲＮＣとが同一であることも可能であり、そのような場合がしばしばあるため、略称としてＳ−ＲＮＣまたはＲＮＣを使用する。一般に、ドリフトＲＮＳ３０２は、異なるＲＮＳの間でのＵＥのソフトハンドオーバに使用される。
【０００８】
ＵＴＲＡＮ地上インタフェースのプロトコルモデルの概説
図４は、ＵＭＴＳネットワークにおけるＵＴＲＡＮのプロトコルモデルの概要を示している。明確に理解できるように、本明細書では簡潔に説明するにとどめるが、さらなる詳細については、非特許文献２（この文書は本文書に参照によって援用する）に記載されている。
【０００９】
このプロトコルモデルは、水平方向のプレーンについては、無線ネットワーク層とトランスポートネットワーク層とに分割することができる。ＵＴＲＡＮに関連するすべての処理（issue）は可視であり、無線ネットワーク層において扱われるのに対して、トランスポートネットワーク層は、通常、ＵＴＲＡＮのデータ伝送に使用するように選択されている標準的な伝送技術であり、ＵＴＲＡＮに固有な変更はなされていない。
【００１０】
このプロトコルモデルは、垂直方向のプレーンについては、制御プレーンとユーザプレーンとに分割することができる。制御プレーンは、ＵＭＴＳに固有な制御シグナリング（すなわち無線インタフェースおよびトランスポートインタフェースに関連する制御シグナリング）に使用され、アプリケーションプロトコル（ＡＰ）（例えばＩｕインタフェースにおけるＲＡＮＡＰ、ＩｕｒインタフェースにおけるＲＮＳＡＰ、ＩｕｂインタフェースにおけるＮＢＡＰ、ＵｕインタフェースにおけるＲＲＣ）を含んでいる。制御プレーンの機能とアプリケーションプロトコルとによって、ＵＥまでのトラフィック無線ベアラ（traffic radio bearer）を、いわゆるシグナリング無線ベアラ（signaling radio bearer）を介してセットアップすることができる。
【００１１】
制御プレーンのプロトコルは、ＵＭＴＳに固有な制御シグナリングの役割を担っているのに対して、ユーザプレーンは、ユーザによって送られるデータストリームおよびユーザに送られるデータストリーム（例えば、音声呼、ストリーミングデータ、パケット交換サービスのパケットなど）を伝送する。ユーザプレーンは、伝送する目的で、いわゆるトラフィック無線ベアラ（場合によってはデータベアラとも称される）を含んでいる。
【００１２】
トランスポートネットワークの制御プレーンは、トランスポートネットワーク層の中でのシグナリングを制御するために使用され、無線ネットワーク層に関連する情報は含まない。トランスポートネットワークの制御プレーンはＡＬＣＡＰプロトコルを含んでおり、このプロトコルは、ユーザプレーンの情報を交換するためのトラフィックベアラと、ＡＬＣＡＰプロトコルメッセージを伝えるのに必要なシグナリングベアラとをセットアップするために使用される。トランスポートネットワークの制御プレーンが存在することにより、制御プレーンの中のアプリケーションプロトコルが、ユーザプレーンにおけるトラフィック無線ベアラ上でのデータ伝送用に選択されている技術とは完全に独立して動作することができる。トランスポートネットワークの制御プレーンは、トランスポートネットワークのユーザプレーンの動作を制御する。
【００１３】
ＵＴＲＡ無線インタフェースプロトコルのアーキテクチャ
図５は、ＵＴＲＡＮの無線インタフェースプロトコルのアーキテクチャの概要を示している。一般的には、ＵＴＲＡＮの無線インタフェースプロトコルのアーキテクチャは、ＯＳＩプロトコルスタックの第１層〜第３層を実装している。ＵＴＲＡＮ内で終端処理されるプロトコルは、アクセス階層（access stratum）（プロトコル）とも称される。アクセス階層と違ってＵＴＲＡＮ内で終端処理されないすべてのプロトコルは、通常、非アクセス階層プロトコル(non-access stratum)とも称される。
【００１４】
図４に関連して説明したように、プロトコルをユーザプレーンと制御プレーンとに縦に分割する場合を示している。無線リソース制御（ＲＲＣ：Radio Resource Control）プロトコルは、制御プレーンの第３層プロトコルであり、ＵＴＲＡ無線インタフェース（Ｕｕ）の下位層におけるプロトコルを制御する。
【００１５】
ＲＲＣプロトコルは、通常、ＵＴＲＡＮのＲＮＣ内で終端処理されるが、他のネットワーク要素（例えばノードＢ）もＵＴＲＡＮ内でＲＲＣプロトコルを終端処理する要素として考慮されている。ＲＲＣプロトコルは、無線インタフェースの無線リソースへのアクセスを制御するための制御情報をＵＥにシグナリングするために使用される。さらには、ＲＲＣプロトコルが非アクセス階層メッセージ（通常、非アクセス階層内での制御に関連する）をカプセル化して伝送することも可能である。
【００１６】
制御プレーンにおいては、ＲＲＣプロトコルが、制御情報をシグナリング無線ベアラを介してサービスアクセスポイント（ＳＡＰ）を経て第２層（すなわち無線リンク制御（ＲＬＣ：Radio Link Control）プロトコル）に中継する。ユーザプレーンにおいては、非アクセス階層のプロトコルエンティティは、トラフィック無線ベアラを使用してＳＡＰを介して第２層に直接アクセスすることができる。この場合、ＲＬＣに直接アクセスするか、またはパケットデータコンバージェンスプロトコル（Packet Data Convergence Protocol）にアクセスすることができ、後者の場合、パックデータコンバージェンスプロトコルが自身のＰＤＵをＲＬＣプロトコルエンティティに提供する。
【００１７】
ＲＬＣは、上位層にＳＡＰを提供する。ＲＲＣの構成設定は、ＲＬＣによるパケットの処理方式（例えば、透過モード、ＡＣＫモード、または非ＡＣＫモードのうちのどのモードでＲＬＣが動作するか）を定義する。制御プレーンおよびユーザプレーンにおいてＲＲＣおよびＰＤＣＰによって上位層に提供されるサービスは、それぞれ、シグナリング無線ベアラおよびトラフィック無線ベアラとも称される。
【００１８】
ＭＡＣ層は、自身のサービスをいわゆる論理チャネルによってＲＬＣ層に提供する。論理チャネルでは、本質的には、伝送するデータの種類が定義される。物理層は、自身のサービスをいわゆるトランスポートチャネルによってＭＡＣ／ＲＬＣ層に提供する。このトランスポートチャネルでは、ＭＡＣ層から受け取るデータを物理チャネルを介して送信するときの方式および送信特性が定義される。
【００１９】
ＵＴＲＡＮにおける論理チャネルおよびトランスポートチャネル
このセクションでは、例示を目的としてＵＭＴＳアーキテクチャを考慮しながら、論理チャネルとトランスポートチャネルとの間のマッピングについて概説する。論理チャネルからトランスポートチャネルへのマッピングは、ＲＲＣ接続確立手順の中でのシグナリングメッセージのいくつかに対して使用することができる。
【００２０】
以下の一連の表は、ＵＴＲＡおよびＥ−ＵＴＲＡにおける論理チャネルおよびトランスポートチャネルの特性およびマッピングについてまとめたものである。論理チャネルについては、主として、送信するデータタイプが記載されているのに対して、トランスポートチャネルについては、主として、送信タイプおよび識別方法が記載されている。
【００２１】
次の表は、ＵＴＲＡおよびＥ−ＵＴＲＡにおける論理チャネルおよびトランスポートチャネルについてそれぞれ説明している。
【００２２】
【表１】
0005532451.tif 000002
【００２３】
なお、上の表におけるＤＣＣＨのマッピングは、ＵＭＴＳリリース６の場合には下り方向におけるフラクショナル個別チャネル（Fractional Dedicated Channel）に、Ｅｖｏｌｖｅｄ  ＵＴＲＡのＵＭＴＳリリース６の場合には上りにおける拡張個別トランスポートチャネル（Enhanced Dedicated Transport Channel）に行うことも可能である。しかしながら、説明を単純にするため、表ではこれらのオプションを考慮していない。
【００２４】
ＵＴＲＡの場合、上の表に示したトランスポートチャネルの識別は、第２層インバンド（Layer 2 inband）である。第２層インバンド識別においては、第２層のＭＡＣ  ＰＤＵのヘッダに、下り方向については情報の宛先、上り方向については情報の送信元としての特定のＵＥを指しているＵＥ識別子が含まれている。従って、システム情報と共通サービス制御タイプのデータを含んでいる論理チャネルをマッピングするのに、識別は必要ない。識別が必要であるのは、ブロードキャスト共通トランスポートチャネル（ＢＣＨ）を除けば共通トランスポートチャネル（ＲＡＣＨおよびＦＡＣＨ）のみである。
【００２５】
次の表は、Ｅｖｏｌｖｅｄ  ＵＴＲＡ（Ｅ−ＵＴＲＡ）における論理チャネルおよびトランスポートチャネルの例示的な説明を示している。
【００２６】
【表２】
0005532451.tif 000003
【００２７】
なお、レガシーＦＡＣＨは使用されておらず、レガシーＤＣＨの代わりに共有チャネルが使用されている。ＳＤＣＨおよびＳＵＣＨの両方について、下り方向における関連付けられる物理チャネルを使用することが想定されている。関連付けられる物理チャネルの一例として、共有制御シグナリングチャネル（ＳＣＳＣＨ）が挙げられる。
【００２８】
上表の各列における送信タイプの説明は、以下のように理解されるものとする。静的構成設定は、チャネルの伝送フォーマットの属性（例えば変調方式、前方誤り訂正方式など）がシステムに固有であり、ネットワークによって変更されないことを意味する。準静的構成設定においては、チャネルの伝送フォーマットの属性（例えば変調方式、前方誤り訂正方式など）が、再構成設定手順によって変更される。この手順は相当に遅く、１００ｍｓオーダーのレイテンシが生じる。動的構成設定においては、チャネルの伝送フォーマットの属性（例えば変調方式、前方誤り訂正方式など）が、関連付けられる制御チャネルを介してのシグナリングによって変更される。この手順は、準静的再構成設定よりも相当に高速であり、数個のサブフレームのオーダーの遅延（１サブフレーム〜０．５ｍｓ）が生じうる。動的構成設定は、無線チャネルの時間的な変動に送信フォーマットを最適に合わせる目的で実行することができる（この場合、リンクアダプテーションとも称される）。
【００２９】
次の表は、このチャネルによって送信することのできる情報を示している。
【００３０】
【表３】
0005532451.tif 000004
【００３１】
この表から理解できるように、ＵＥ識別情報は下り方向と上り方向の両方に含まれている。従って、ＵＥは、第１層アウトバンド（Layer 1 outband）識別に基づき、ＳＣＳＣＨ上のデータを復号化し、関連付けられる物理チャネル上で送信された識別子が、ＲＲＣ接続確立手順時にＵＥに割り当てられる識別子に一致するものと判定した後、共有トランスポートチャネルそれぞれがマッピングされている物理チャネルを受信して、ＳＤＣＨおよびＳＵＣＨ共有トランスポートチャネルに対応する第２層ＰＤＵ（Protocol Data Unit：プロトコルデータユニット）をさらに処理することができる。Ｅ−ＵＴＲＡにおいて、ＣＡＣＨトランスポートチャネルにおける識別は、ＲＡＣＨトランスポートチャネルの識別に似ている。結論として、識別が必要であるのは、拡張型ブロードキャスト共通トランスポートチャネル（Ｅｖｏｌｖｅｄ−ＢＣＨ）を除けば、共通トランスポートチャネルおよび共有トランスポートチャネル（ＣＡＣＨ、ＳＤＣＨ、およびＳＵＣＨ）である。共通トランスポートチャネルにおける識別は第２層インバンドタイプであるのに対して、共有トランスポートチャネルにおける識別は第１層アウトバンドタイプである。
【００３２】
「第２層インバンド」識別および「第１層アウトバンド」識別の定義から、ＵＥあたりただ１つの識別子が存在しているものと推測できる。従って、シグナリング無線ベアラが確立された時点で、トラフィック無線ベアラにも使用できる識別子がＵＥに割り当てられている。しかしながら、構成設定されるトランスポートチャネルごとに、ＵＥあたり複数の識別子を定義して使用することも可能である。
【００３３】
スペクトルの割り当て
非特許文献３（http://www.3gpp.orgから入手可能)には、移動体端末の単独動作（stand-alone operation）に関して、複数の異なるサイズのスペクトル割り当て（例えば、１．２５ＭＨｚ、２．５０ＭＨｚ、５．００ＭＨｚ、１０．００ＭＨｚ、１５．００ＭＨｚ、２０．００ＭＨｚ）が提案されている。Ｅｖｏｌｖｅｄ  ＵＴＲＡ／ＵＴＲＡＮのプライマリ共通制御物理チャネル（Ｐ−ＣＣＰＣＨ）（従来のシステムにおいては、このＰ−ＣＣＰＣＨにはＢＣＨトランスポートチャネルがマッピングされる）のデータレートは、Ｅｖｏｌｖｅｄ  ＵＴＲＡ／ＵＴＲＡＮのブロードキャストトランスポートチャネルの構成設定が準静的であると想定すると、（次の表に示すように）スペクトル割り当てのサイズによって変化する。
【００３４】
【表４】
0005532451.tif 000005
【００３５】
従って、物理チャネルから所定の量のデータを読み取るためのＵＥ読み取り時間は、スペクトル割り当てに依存するものと結論できる。従って、スペクトル割り当てが少ない場合、ＵＥ読み取り時間、および従って電力消費量が増す。さらに、データサイズが大きく、データがいくつかの送信時間間隔（ＴＴＩ）にわたって送信されるときには、ＵＥは、そのデータが供給されるすべてのＴＴＩにおいてデータを受信するために自身の受信機に給電しなければならない。スペクトル割り当てが大きい場合、ＵＥ読み取り時間は短縮されるが、１つのＴＴＩの中でいくつかのデータ部分が送られる場合、ＵＥはそのＴＴＩの中の無関係な部分を復号化する必要が生じることがあり、なぜなら、一般に受信機は、１つのＴＴＩ全体のデータを受信するように設計されているためである。このことによっても、ＵＥの電力消費量が不必要に増大することがある。
【００３６】
図８および図９は、ブロードキャストシステム情報を送信する場合に生じうる、上に概説した問題を示している。ＵＭＴＳにおいては、ブロードキャストシステム情報（ＢＳＩ）は通常システム情報ブロック（ＳＩＢ）に分割される（図７）。図８から認識できるように、スペクトル割り当てサイズが５．００ＭＨｚである場合、ＵＥは、ＳＩＢ８に含まれている情報を取得するためには、たとえ（特定の時刻において）ＭＩＢおよびＳＩＢ７／９／１０がＵＥに必要ないものであっても、ブロードキャスト制御チャネルＢＣＣＨの内容を２つの連続するＴＴＩにわたって受信しなければならない。さらに、スペクトル割り当てが大きい（例えば、図９に示したようにサイズが１０．００ＭＨｚである）場合、ＵＥは、マスター情報ブロックＭＩＢとＳＩＢ１とを復号化する。さらに、ＵＥは、ＳＩＢ２およびＳＩＢ３の内容がシステムアクセスあるいは基本的なモビリティ機能に必要ないものであっても、これらの情報ブロックを復号化する。
【先行技術文献】
【非特許文献】
【００３７】
【非特許文献１】3GPP TR 25.401: "UTRAN Overall Description"
【非特許文献２】Holma et al., "WCDMA for UMTS", Third Edition, Wiley & Sons, Inc., October 2004, Chapter 5
【非特許文献３】3GPP TR 25.912, " Requirements for Evolved UTRA (E-UTRA) and Evolved UTRAN (E-UTRAN)", version 7.1.0
【非特許文献４】3GPP TS 25.331, "Radio Resource Control (RRC)", version 6.7.0, section 8.1.1
【非特許文献５】Tdoc R1-050604 of the 3GPP TSG RAN WG #1 ad hoc, “Downlink Channelization and Multiplexing for EUTRA”, June 2005
【発明の概要】
【発明が解決しようとする課題】
【００３８】
本発明の目的は、ブロードキャストシステム情報をブロードキャストする改良された方法を提案することである。
【課題を解決するための手段】
【００３９】
この目的は、独立請求項の主題によって解決される。本発明の有利な実施形態は、従属請求項の主題である。
【００４０】
本発明の一態様によると、本発明のシステムは、無線アクセスネットワークにおいてブロードキャストシステム情報を送信する送信装置と、前記ブロードキャストシステム情報を受信する受信装置を含むシステムであって、前記送信装置は、ブロードキャスト制御論理チャネルのマスター情報ブロックを含む第１のシステム情報を、ブロードキャストトランスポートチャネルにマッピングし、ブロードキャスト制御論理チャネルのシステム情報ブロックを含む第２のシステム情報を、動的に割り当てるリソースにより送信が可能な共有トランスポートチャネルにマッピングする、マッピング部と、前記第１のシステム情報を前記ブロードキャストトランスポートチャネルを介して受信装置へ送信し、前記第２のシステム情報を前記共有トランスポートチャネルを介して前記動的に割り当てるリソースにより前記受信装置へ送信する、送信部と、を備え、前記受信装置は、前記ブロードキャスト制御論理チャネルのマスター情報ブロックを含む第１のシステム情報をブロードキャストトランスポートチャネルを介して前記送信装置から受信し、前記ブロードキャスト制御論理チャネルのシステム情報ブロックを含む第２のシステム情報を、前記動的に割り当てられたリソースにより受信が可能な前記共有トランスポートチャネルを介して、前記動的に割り当てられたリソースにより前記送信装置から受信する受信部と、前記ブロードキャストトランスポートチャネルにマッピングされた前記第１のシステム情報を取得し、前記共有トランスポートチャネルにマッピングされた前記第２のシステム情報を取得する取得部と、を含む、システムである。
本発明のシステムは、前記送信装置が、前記共有トランスポートチャネルにマッピングされた前記第２のシステム情報の送信に関連付けられる物理制御チャネル信号により、前記第２のシステム情報を前記受信装置が取得するための情報を通知する通知部を含む、システムである。
本発明のシステムは、前記送信装置における前記第２のシステム情報を前記受信装置が取得するための情報は、前記第２のシステム情報を前記動的に割り当てるリソースのサイズに関する情報を含む、システムである。
本発明のシステムは、前記送信装置における前記第２のシステム情報を前記共有トランスポートチャネルを介して送信する送信部において、前記第２のシステム情報を前記受信装置に取得させるために所定の識別子を使用する、システムである。
本発明のシステムは、前記受信装置は、前記共有トランスポートチャネルにマッピングされた前記第２のシステム情報の受信に関連付けられる物理制御チャネル信号により、前記第２のシステム情報を前記受信装置が取得するための情報の通知を受信する通知受信部を含む、システムである。
本発明のシステムは、前記受信装置における前記第２のシステム情報を前記受信装置が取得するための情報は、前記動的に割り当てられたリソースのサイズに関する情報を含む、システムである。
本発明のシステムは、前記受信装置における前記第２のシステム情報を前記共有トランスポートチャネルを介して受信する受信部において、前記第２のシステム情報を取得するために所定の識別子を使用する、システムである。
本発明のシステムは、前記送信装置は基地局である、システムである。
本発明のシステムは、前記受信装置はユーザ機器（ＵＥ）である、システムである。
本発明の一態様によると、ブロードキャストシステム情報の複数の異なるパーティションを、共有トランスポートチャネルまたはブロードキャストトランスポートチャネルにマッピングして送信する。本発明の一実施形態によると、このマッピングでは、ブロードキャストシステム情報が送信される先の移動体端末に固有なパラメータ、もしくは、ブロードキャストシステム情報の複数の異なるパーティションに固有なパラメータ、またはその両方、を考慮することができる。
【００４１】
本発明の方法は、無線アクセスネットワークにおいてブロードキャストシステム情報を送信する方法であって、ブロードキャスト制御論理チャネルのマスター情報ブロックを含む第１のシステム情報を、ブロードキャストトランスポートチャネルにマッピングするステップと、ブロードキャスト制御論理チャネルの第２のシステム情報を、動的に割り当てるリソースにより送信が可能な共有トランスポートチャネルにマッピングするステップと、前記ブロードキャストトランスポートチャネルを介して、前記マスター情報ブロックを含む前記第１のシステム情報を送信するステップであって、前記第１のシステム情報の前記マスター情報ブロックは、前記共有トランスポートチャネルを介して送信された前記第２のシステム情報のタイミングを示す制御情報を含む、前記ステップと、前記共有トランスポートチャネルを介して前記動的に割り当てるリソースにより前記第２のシステム情報を送信するステップと、を含む。
本発明の一実施形態によると、移動体通信システムの無線アクセスネットワークにおいてブロードキャストシステム情報を送信する方法が提供される。この方法によると、ブロードキャスト制御論理チャネルのシステム情報ブロックを、システム情報ブロックそれぞれの特性、またはブロードキャストシステム情報を受信する移動体端末の特性に応じて、共有トランスポートチャネルまたはブロードキャストトランスポートチャネルにマッピングし、システム情報ブロックを、共有トランスポートチャネルおよびブロードキャストトランスポートチャネルを介して送信する。
【００４２】
例えば、システム情報ブロックの固有な特性として、システム情報ブロックに含まれている情報の時間的変動性、システム情報ブロックのサイズ、システム情報ブロックに含まれている情報が、システムアクセスに必要であるか、システム情報ブロックに含まれている情報が、移動体通信システムの中でユーザの位置を追跡するうえで必要であるか、のうちの少なくとも１つとすることができる。
【００４３】
移動体端末の固有な特性の例として、移動体通信システムにおけるオプションの機能をサポートする能力が挙げられる。
【００４４】
本発明の別の実施形態においては、ブロードキャスト制御論理チャネルのマスター情報ブロックを、ブロードキャストトランスポートチャネルを介して定期的に送信する。このマスター情報ブロックは、システム情報ブロックのそれぞれに関連付けられる制御情報を含んでいることができる。この関連付けられる制御情報は、システム情報ブロックそれぞれがブロードキャストトランスポートチャネルにマッピングされているか共有トランスポートチャネルにマッピングされているかを示すことができる。
【００４５】
この実施形態の変形形態においては、システム情報ブロックが共有トランスポートチャネルにマッピングされている場合、関連付けられる制御情報は、共有トランスポートチャネルを介して送信されるシステム情報ブロックそれぞれの送信フォーマットおよび送信タイミングを含んでいる。
【００４６】
さらなる変形形態においては、関連付けられる制御情報は、ブロードキャストトランスポートチャネル上でのシステム情報ブロックそれぞれのポジションと、システム情報ブロックそれぞれが送信される時間間隔と、システム情報ブロックそれぞれの情報を更新するために使用されるタイマー値ベースまたは値タグ（value tag）ベースの更新メカニズムとを、少なくとも指定する。
【００４７】
本発明のさらなる実施形態においては、制御情報を、共有データチャネルに関連付けられる制御チャネル上で送信する。この制御情報は、共有トランスポートチャネルを介して送信されるシステム情報ブロックそれぞれの送信フォーマットおよび送信タイミングを示すことができる。
【００４８】
この実施形態の変形形態においては、制御情報は、論理チャネルからトランスポートチャネルへのマッピングの識別情報をさらに含んでいる。
【００４９】
本発明の別の実施形態においては、制御情報の一部は、共有トランスポートチャネルのパケットのヘッダの中で送信され、論理チャネルからトランスポートチャネルへのマッピングの識別情報を含んでいる。
【００５０】
上の両方の実施形態において、論理チャネルからトランスポートチャネルへのマッピングの識別情報は、マスター情報ブロックの中で送信される制御情報に、複数の設定された識別子またはデフォルトの識別子を含めることによって、作成することができる。
【００５１】
本発明のさらなる実施形態においては、システムブロードキャスト情報は、隣接する無線セルの少なくとも１つの共有トランスポートチャネルの構成設定に関する情報を含んでいる。
【００５２】
本発明の別の実施形態は、移動体通信システムの無線アクセスネットワークにおける、移動体端末によるブロードキャストシステム情報の受信に関する。移動体端末は、ブロードキャスト制御論理チャネルのマスター情報ブロックをブロードキャストトランスポートチャネルを介して受信することができる。マスター情報ブロックは、ブロードキャストシステム情報を伝えるために使用される複数のシステム情報ブロックのそれぞれに関連付けられる制御情報を含んでいることができる。さらに、この関連付けられる制御情報は、ブロードキャストシステム情報を伝える複数のシステム情報ブロックのそれぞれが、ブロードキャストトランスポートチャネルにマッピングされているか共有トランスポートチャネルにマッピングされているかを移動体端末に示すことができる。移動体端末は、マスター情報ブロックの中の指示情報に従って、ブロードキャスト制御論理チャネルのシステム情報ブロックを共有トランスポートチャネルまたはブロードキャストトランスポートチャネル上で受信することができる。
【００５３】
システム情報ブロックが共有トランスポートチャネルを介して受信される場合、この実施形態の変形形態においては、マスター情報ブロックの中の関連付けられる制御情報が、システム情報ブロックがマッピングされている共有トランスポートチャネルの構成設定を含んでいる。さらに、複数の共有トランスポートチャネルのうち、システム情報ブロックがマッピングされている共有トランスポートチャネルを、マスター情報ブロックの関連付けられる制御情報の中の指示情報と、送信された設定されている識別子またはデフォルトの識別子とに基づいて識別し、識別された共有チャネルを介してシステム情報ブロックを受信するステップ、を含んでいる。構成設定は、例えば、一連の送信フォーマットパラメータとすることができる。個々のＳＩＢから共有トランスポートチャネルへのマッピングの指示情報は、例えば、それぞれがシステムにおける関連付けられるトランスポートチャネルを識別する、設定されている識別子またはデフォルトの識別子を使用することによって、作成することができる。
【００５４】
本発明の別の実施形態においては、移動体端末は、共有データチャネルに関連付けられる物理制御チャネル上で制御情報を受信することができる。この関連付けられる制御情報は、共有トランスポートチャネルを介して送信されるシステム情報ブロックそれぞれの送信フォーマットおよび送信タイミングを示すことができる。移動体端末は、示された送信フォーマットおよび送信タイミングを使用して、システム情報ブロックそれぞれを共有トランスポートチャネルを介して受信することができる。
【００５５】
さらに、本発明の一実施形態においては、移動体端末によって受信されるブロードキャストシステム情報は、隣接する無線セルの少なくとも１つの共有トランスポートチャネルの構成設定に関する情報を含んでいることもでき、移動体端末がその隣接する無線セルにハンドオーバされる場合に、移動体端末は、その隣接する無線セルの少なくとも１つの共有トランスポートチャネルの構成設定に関する情報を使用して、その隣接する無線セル内でブロードキャストシステム情報を受信することができる。
【００５６】
本発明の送信装置は、無線アクセスネットワークにおいてブロードキャストシステム情報を送信する、前記無線アクセスネットワークにおける送信装置であって、ブロードキャスト制御論理チャネルのマスター情報ブロックを含む第１のシステム情報を、ブロードキャストトランスポートチャネルにマッピングし、ブロードキャスト制御論理チャネルの第２のシステム情報を、動的に割り当てるリソースにより送信が可能な共有トランスポートチャネルにマッピングする、マッピング部と、前記第１のシステム情報を前記ブロードキャストトランスポートチャネルを介して送信し、前記第２のシステム情報を前記共有トランスポートチャネルを介して前記動的に割り当てるリソースにより送信する送信部と、を備え、前記第１のシステム情報の前記マスター情報ブロックは、前記共有トランスポートチャネルを介して送信される前記第２のシステム情報のタイミングを示す制御情報を含む。
本発明の別の実施形態は、移動体通信システムの無線アクセスネットワークにおいてブロードキャストシステム情報を送信する、無線アクセスネットワークにおける送信装置、を提供する。この送信装置は、システム情報ブロックそれぞれの特性、またはブロードキャストシステム情報を受信する移動体端末の特性に応じて、ブロードキャスト制御論理チャネルのシステム情報ブロックを共有トランスポートチャネルおよびブロードキャストトランスポートチャネルにマッピングするプロセッサ、を備えていることができる。さらに、この送信装置は、システム情報ブロックを、共有トランスポートチャネルおよびブロードキャストトランスポートチャネルを介して送信する送信機、を備えていることができる。
【００５７】
この実施形態の変形形態においては、この送信装置は、本明細書に記載したさまざまな実施形態および変形形態のうちの１つによる、ブロードキャストシステム情報を送信する方法の一連のステップ、を実行するように構成されている。
【００５８】
本発明の受信装置は、無線アクセスネットワークにおいてブロードキャストシステム情報を受信する、前記無線アクセスネットワークにおける受信装置であって、ブロードキャスト制御論理チャネルのマスター情報ブロックを含む第１のシステム情報を、ブロードキャストトランスポートチャネルを介して受信する受信部と、前記マスター情報ブロックから制御情報を取得する取得部と、を備えており、前記制御情報は第２のシステム情報ブロックのタイミングを示し、前記受信部が、前記マスター情報ブロックに含まれる前記制御情報によって示されるタイミングにおいて、動的に割り当てられたリソースにより共有トランスポートチャネルを介して前記第２のシステム情報ブロックを受信する。
本発明のさらなる実施形態は、移動体通信システムの無線アクセスネットワークにおいてブロードキャストシステム情報を受信する移動体端末に関する。この例示的な実施形態によると、移動体端末は、ブロードキャスト制御論理チャネルのマスター情報ブロックをブロードキャストトランスポートチャネルを介して受信する受信機、を備えている。さらに、移動体端末を、マスター情報ブロックから制御情報を取得するプロセッサを使用して構成することができる。この制御情報は、ブロードキャストシステム情報を伝えるために使用される複数のシステム情報ブロックのそれぞれに関連付けられており、システム情報ブロックそれぞれがブロードキャストトランスポートチャネルにマッピングされているか共有トランスポートチャネルにマッピングされているかを示すことができる。さらに、受信機は、マスター情報ブロック中の指示情報に従って、ブロードキャスト制御論理チャネルのシステム情報ブロックを共有トランスポートチャネルまたはブロードキャストトランスポートチャネル上で受信することができる。
【００５９】
本発明の別の実施形態による移動体端末は、本明細書に記載したさまざまな実施形態および変形形態のうちの１つによる、ブロードキャストシステム情報を受信する方法の一連のステップ、を実行するように構成することができる。
本発明の方法は、無線アクセスネットワークにおいてブロードキャストシステム情報を受信する方法であって、ブロードキャスト制御論理チャネルのマスター情報ブロックを含む第１のシステム情報を、ブロードキャストトランスポートチャネルを介して受信するステップと、前記マスター情報ブロックから制御情報を取得するステップであって、前記制御情報は動的に割り当てられたリソースにより前記共有トランスポートチャネルを介して送信される第２のシステム情報のタイミングを示す、前記ステップと、前記マスター情報ブロックに含まれる前記制御情報によって示されるタイミングにおいて、前記動的に割り当てられたリソースにより共有トランスポートチャネルを介して前記第２のシステム情報ブロックを受信するステップと、を含む。
【００６０】
本発明の別の実施形態は、本発明のさまざまな態様をソフトウェアに実施することに関する。従って、本発明の一実施形態は、命令を格納しているコンピュータ可読媒体であって、命令が送信装置のプロセッサによって実行されたときに、それによって、送信装置が、移動体通信システムの無線アクセスネットワークにおいてブロードキャストシステム情報を送信する、コンピュータ可読媒体、を提供する。この実施形態においては、送信装置は、命令に起因して、ブロードキャスト制御論理チャネルのシステム情報ブロックを、システム情報ブロックそれぞれの特性、またはブロードキャストシステム情報を受信する移動体端末の特性に応じて、共有トランスポートチャネルまたはブロードキャストトランスポートチャネルにマッピングすることによってと、システム情報ブロックを、共有トランスポートチャネルおよびブロードキャストトランスポートチャネルを介して送信することとによって、ブロードキャストシステム情報を送信する。
【００６１】
本発明の別の実施形態によるコンピュータ可読媒体は、さらに、命令を格納していることができ、この命令に起因して、送信装置のプロセッサは、本明細書に記載した実施形態および変形形態のうちの１つによる、ブロードキャストシステム情報を送信する方法の一連のステップ、を実行する。
【００６２】
本発明のさらなる実施形態は、命令を格納しているコンピュータ可読媒体であって、命令が移動体端末のプロセッサによって実行されたときに、それによって、移動体端末が、移動体通信システムの無線アクセスネットワークにおいてブロードキャストシステム情報を受信する、コンピュータ可読媒体、を提供する。
【００６３】
移動体端末は、命令に起因して、ブロードキャスト制御論理チャネルのマスター情報ブロックをブロードキャストトランスポートチャネルを介して受信することによってと、マスター情報ブロックの中の指示情報に従って、ブロードキャスト制御論理チャネルのシステム情報ブロックを共有トランスポートチャネルまたはブロードキャストトランスポートチャネル上で受信することとによって、ブロードキャストシステム情報を受信することができる。マスター情報ブロックは、ブロードキャストシステム情報を伝えるために使用される複数のシステム情報ブロックのそれぞれに関連付けられる制御情報を含んでいることができる。この関連付けられる制御情報は、システム情報ブロックそれぞれが、ブロードキャストトランスポートチャネルにマッピングされているか共有トランスポートチャネルにマッピングされているかを示す。
【００６４】
本発明の別の実施形態におけるコンピュータ可読媒体は、さらに、命令を格納しており、この命令に起因して、移動体端末のプロセッサは、本明細書に記載したさまざまな実施形態および変形形態のうちの１つによる、ブロードキャストシステム情報を受信する方法の一連のステップ、を実行する。
【００６５】
以下では、本発明について、添付の図面を参照しながらさらに詳しく説明する。図面における類似または一致する細部は、同一の参照数字によって表してある。
【図面の簡単な説明】
【００６６】
【図１】ＵＭＴＳの高レベルのアーキテクチャを示している。
【図２】ＵＭＴＳ  Ｒ９９／４／５によるＵＴＲＡＮのアーキテクチャを示している。
【図３】ＵＭＴＳネットワークにおけるドリフト／サービング無線サブシステムを示している。
【図４】ＵＭＴＳネットワークにおけるＵＴＲＡＮのプロトコルモデルの概要を示している。
【図５】ＵＴＲＡＮの無線インタフェースプロトコルのアーキテクチャの概要を示している。
【図６】マスター情報ブロック（ＭＩＢ）の構造を示している。
【図７】ブロードキャストシステム情報（ＢＳＩ）を、異なるチャネル帯域幅を使用して異なる方式で、システム情報ブロック（ＳＩＢ）において送信する例を示している。
【図８】ブロードキャストシステム情報（ＢＳＩ）を、異なるチャネル帯域幅を使用して異なる方式で、システム情報ブロック（ＳＩＢ）において送信する例を示している。
【図９】ブロードキャストシステム情報（ＢＳＩ）を、異なるチャネル帯域幅を使用して異なる方式で、システム情報ブロック（ＳＩＢ）において送信する例を示している。
【図１０】本発明の一実施形態による、ブロードキャストシステム情報のシステム情報ブロックから、ブロードキャストトランスポートチャネルおよび共有トランスポートチャネルへの例示的なマッピング（第１層アウトバンド識別を使用する）を示している。
【図１１】本発明の一実施形態による、図１０におけるシステム情報ブロックのマッピングにおいて使用されるマスター情報ブロックの例示的なフォーマットを示している。
【図１２】本発明の一実施形態による、ブロードキャストシステム情報のシステム情報ブロックから、ブロードキャストトランスポートチャネルおよび共有トランスポートチャネルへの例示的なマッピング（第２層インバンド識別を使用する）を示している。
【図１３】本発明の一実施形態による、図１２におけるシステム情報ブロックのマッピングにおいて使用されるマスター情報ブロックの例示的なフォーマットを示している。
【図１４】本発明の複数の異なる実施形態による、システム情報ブロックから共有トランスポートチャネルおよびブロードキャストトランスポートチャネルへのマッピングとして、異なる基準に基づくさまざまな例を示している。
【図１５】本発明の複数の異なる実施形態による、システム情報ブロックから共有トランスポートチャネルおよびブロードキャストトランスポートチャネルへのマッピングとして、異なる基準に基づくさまざまな例を示している。
【図１６】本発明の複数の異なる実施形態による、システム情報ブロックから共有トランスポートチャネルおよびブロードキャストトランスポートチャネルへのマッピングとして、異なる基準に基づくさまざまな例を示している。
【図１７】本発明の複数の異なる実施形態による、システム情報ブロックから共有トランスポートチャネルおよびブロードキャストトランスポートチャネルへのマッピングとして、異なる基準に基づくさまざまな例を示している。
【図１８】本発明の一実施形態による、隣接する無線セルにおける共有トランスポートチャネルに関する情報を含んでいるブロードキャストシステム情報のシステム情報ブロックから、ブロードキャストトランスポートチャネルおよび共有トランスポートチャネルへのマッピングと、隣接する無線セルへの移動体端末のハンドオーバとを示している。
【発明を実施するための形態】
【００６７】
以下の段落では、本発明のさまざまな実施形態について説明する。実施形態のほとんどは、ＵＭＴＳ通信システムに関連して概説してあるが、これは説明を目的としているにすぎない。以下のセクションにおいて使用している専門用語は、主としてＵＭＴＳの専門用語に関連しており、なぜなら本発明はこのタイプの通信システムにおいて有利に使用できるためである。しかしながら、使用した専門用語と実施形態の説明とがＵＭＴＳシステムに関連していることは、本発明の原理および発想をそのようなシステムに限定することを意図するものではない。
【００６８】
さらに、［背景技術］セクションにおける詳細な説明は、以下に記載する、ほとんどがＵＭＴＳに固有な例示的な実施形態が良好に理解されることを目的としており、本発明の基礎をなす全般的な発想を、移動体通信ネットワークにおける、以下に説明するプロセスおよび機能の特定の実装に限定するようには理解されないものとする。
【００６９】
本発明の一態様によると、論理チャネルのブロードキャストシステム情報を、共有トランスポートチャネルもしくはブロードキャストトランスポートチャネル、またはその両方にマッピングすることを提案する。ブロードキャストシステム情報は、例えば、ブロードキャスト制御論理チャネルを通じて送信される情報とすることができる。
【００７０】
本発明の一実施形態においては、ブロードキャストシステム情報の複数の異なる部分（本文書においてはシステム情報ブロックとも称する）から、２つのトランスポートチャネルのいずれか一方へのマッピングは、特定の１つまたは複数の基準に基づいて行われる。例えば、マッピングを決定するうえでの基礎情報として使用することのできる基準として、システム情報ブロックの固有な特性、あるいは、システム情報がブロードキャストされる先の移動体端末の固有な特性とすることができる。
【００７１】
システム情報ブロックの固有な特性の例として、システム情報ブロックに含まれている情報の時間的変動性、あるいはシステム情報ブロックのサイズが挙げられる。システム情報ブロックの別の固有な特性としては、例えば、システム情報ブロックに含まれている情報が、システムアクセスするうえで必要であるか、あるいは、システム情報ブロックに含まれている情報が、移動体通信システムにおいてユーザの位置を追跡するうえで必要であるか、が挙げられる。
【００７２】
移動体端末の固有な特性としては、例えば、移動体通信システム内でオプションとして定義されている（１つ以上の）機能をサポートする、端末の能力とすることができる。
【００７３】
システム情報ブロックを共有トランスポートチャネルまたはブロードキャストトランスポートチャネルにマッピングすることは、移動体端末によるこの情報の取得動作を、端末処理時間および電力消費量に関して最適化できることにおいて、有利であり得る。本発明を適用することによって達成できる別の利点としては、単独のスペクトル割り当てサイズ（standalone spectrum allocations）のすべての場合に、移動体端末によるブロードキャストシステム情報の読み取り時間が短縮されること、ブロードキャストできるようにトランスポートチャネルを構成設定するうえでの通信事業者にとっての柔軟性が高いこと、さらには、システム情報を共有トランスポートチャネルにマッピングする結果として、システム情報のスケジューリング効率が高まることが挙げられる。
【００７４】
本発明の別の態様は、ブロードキャストシステム情報を受信する移動体端末の挙動である。本発明の別の実施形態によると、移動体端末は、ブロードキャストトランスポートチャネル上でマスター情報ブロックを受信し、このマスター情報ブロックは、個々のＳＩＢからブロードキャストトランスポートチャネルまたは共有トランスポートチャネルのいずれかへのマッピングを示している。移動体端末は、使用されているマッピングの指示情報に基づいて、ブロードキャスト制御チャネルまたは共有制御チャネルのいずれかにおいてＳＩＢを受信する。本発明の別の実施形態においては、ＳＩＢを適切に受信するために必要な制御情報を、第１層アウトバンド識別または第２層インバンド識別を使用して移動体端末に提供し、この方法については後からさらに詳しく説明する。
【００７５】
以下では、本発明の例示的な実施形態による、システムブロードキャスト情報の構造と、システムブロードキャスト情報を複数の異なるシステム情報ブロック（ＳＩＢ）に割り当てる方法とについて、ＵＭＴＳシステムを考慮しながら概説する。ブロードキャスト制御チャネル（論理チャネル）上で送信される情報の構造は、ツリー構造とすることができる。いわゆるマスター情報ブロック（ＭＩＢ）がツリー構造のルートを形成しており、いわゆるシステム情報ブロック（ＳＩＢ）がツリー構造の枝である。ＭＩＢ情報は、ブロードキャストシステム情報を伝えるＳＩＢよりも少ない頻度で送信することができる。さらに、個々の端末は、ＭＩＢ情報が送信されるたびにＭＩＢの中の情報を読み取る必要がないことがある。
【００７６】
図６は、ＢＣＣＨに関する情報の構造を、例示を目的として示している。例えば、システム情報ブロックのそれぞれに関する情報用に、ＭＩＢの１つの部分を確保することができる。確保された部分に含まれる、ＳＩＢそれぞれに関連付けられる制御情報は、以下の構造をとることができる。すなわち、ＳＩＢに関連付けられる制御情報のそれぞれが、ＳＩＢが送信されるブロードキャストトランスポートチャネル上での、特定なタイミングを基準としてＳＩＢのポジションを示すことができる。さらには、ＳＩＢの反復周期を示すことができる。この反復周期は、ＳＩＢそれぞれが送信される周期を示す。制御情報は、さらに、ＳＩＢ情報のタイマーベースの更新メカニズムにおけるタイマー値、あるいは、タグの値によって更新を検出するメカニズムにおける値タグ（バリュータグ）を含んでいることができる。
【００７７】
ＭＩＢの中での制御情報がタイマー値を含んでいるＳＩＢについては、移動体端末は、ＭＩＢのタイマーフィールドに示されている値の経過後にシステム情報を更新することができる。ＭＩＢの中の制御情報が値タグを含んでいるＳＩＢについては、移動体端末は、ＭＩＢの該当フィールドに示されているタグの値が、前の更新における値から変更された際に、システム情報を更新する。以下では、本発明の複数の異なる実施形態による例示的なＭＩＢフォーマットについて、図１１および図１３を参照しながら説明する。
【００７８】
次表は、従来のＵＭＴＳシステムにおけるシステム情報ブロックの分類およびタイプの例示的な概要を示しており、この分類およびタイプは、本明細書に記載した本発明の複数の異なる実施形態において使用することができる（非特許文献４を参照（この文書は本文書に参照によって援用され、http://www.3gpp.orgから入手可能））。この例においては、システムブロードキャスト情報は、内容および時間的変動性に基づいて異なるＳＩＢに分類されている。
【００７９】
【表５】
0005532451.tif 000006
【００８０】
上に示した表は、ブロードキャストシステム情報の内容および分類の単なる可能な一例として理解されたい。さらに、システム情報の複数の異なる部分がブロードキャストされる頻度の分類と、システム情報から複数の異なるＳＩＢへの分類は、例示する役割を果たすことを意図しているに過ぎず、本発明をこの例に制限することを意図したものではない。既存の移動体通信システムの開発および改良が進むにつれて、送信の内容、フォーマット、周期などが変化しうることを認識されたい。
【００８１】
図１０は、本発明の一実施形態による、ブロードキャストシステム情報のシステム情報ブロックから、ブロードキャストトランスポートチャネルおよび共有トランスポートチャネルへの例示的なマッピング（第１層アウトバンド識別を使用する）を示している。図１０には、３つの異なるチャネル、すなわちブロードキャストトランスポートチャネルと、共有トランスポートチャネルと、この共有トランスポートチャネルに関連付けられる物理制御チャネルとにマッピングされるデータを示してある。制御チャネルは、共有トランスポートチャネル上のデータの送信フォーマットおよび送信タイミングを記述する制御情報を含んでいることにおいて、共有トランスポートチャネルに関連付けられている。本発明の別の実施形態においては、非特許文献５（この文書は本文書に参照によって援用され、http://www.3gpp.orgから入手可能）に記載されているように、送信フォーマットを記述するパラメータによって、ＯＦＤＭＡベースの無線アクセスの場合のフォーマットを定義することができる。
【００８２】
さらには、システム情報を受信する移動体端末（同義的には、論理チャネルからトランスポートチャネルへのマッピング）を、前述したように、それぞれの第１層アウトバンド識別によって指定することができる。従って、論理チャネルからトランスポートチャネルへのマッピングは、関連付けられる物理制御チャネル（例えばＳＣＳＣＨ）上に示される。
【００８３】
ブロードキャスト制御論理チャネル（例：ＵＭＴＳにおけるＢＣＣＨ）上で提供されるブロードキャストシステム情報を、図１０の共有トランスポートチャネルおよびブロードキャストトランスポートチャネルにマッピングする。
【００８４】
図１０においては、ブロードキャストトランスポートチャネルには３つのトランスポートブロックを示してある。この例示的な実施形態においては、マスター情報ブロック（ＭＩＢ）を定期的に（ＭＩＢ反復周期）送信する。例えば、各トランスポートブロックの最初において、または所定の時間間隔（例えば、特定の数の送信時間間隔（ＴＴＩ））の後に、ＭＩＢを送信することができる。さらに、トランスポートブロックは、１つ以上のシステム情報ブロック（ＳＩＢ）を含んでいることができる。１つのＳＩＢは、送信されるシステムブロードキャスト情報の部分を含んでいる。例えば、ＳＩＢのそれぞれが、表５に例示したような、特定のカテゴリの所定の一連の情報または設定可能な一連の情報を含んでいることができる。
【００８５】
図１１は、図１０に示した例示的な実施形態において使用されるＭＩＢをさらに詳しく示している。本発明のこの実施形態によるシステムブロードキャスト情報の構造も、上に概説したようなツリー構造である。このＭＩＢは、制御情報の複数の異なるパーティションを備えており、パーティションのそれぞれが、ＳＩＢそれぞれに関連付けられている。
【００８６】
ブロードキャストトランスポートチャネルにマッピングされて送信されるＳＩＢについては、各ＳＩＢに関連付けられる制御情報は以下の構造を持つことができる。すなわち、ＳＩＢに関連付けられる制御情報（ＳＩＢ  ＃ｎを指すポインタ）のそれぞれは、そのＳＩＢが送信されるブロードキャストトランスポートチャネル上での、一般的なタイミング基準に対するＳＩＢのポジションを示す。さらには、各ＳＩＢが送信される周期を示す、ＳＩＢの反復周期を示すことができる。図１０に示した例示的な実施形態においては、ＭＩＢの中の制御情報のうち、ＳＩＢ１、ＳＩＢ３、ＳＩＢ４、およびＳＩＢ６に関連付けられる制御情報は、この構造を持つ。
【００８７】
ＳＩＢ１、ＳＩＢ３、ＳＩＢ４、およびＳＩＢ６とは異なり、ＳＩＢ２は、共有トランスポートチャネルを介して送信される。ＳＩＢ２に関するＭＩＢ制御情報は、他の一連のＳＩＢの制御情報とは構造が異なっている。この例示的な実施形態によると、ＭＩＢの中の、ＳＩＢ２の制御情報は、ＳＩＢ２が送信される共有トランスポートチャネルの指示情報を含んでいる。図１０においては、この指示情報は、ＭＩＢから共有トランスポートチャネルを指している点線矢印によって示してある。
【００８８】
移動体端末は、送信されるＳＩＢと、それらがマッピングされているチャネルとを、ＭＩＢの中の制御情報に基づいて認識することができる。すなわち、この例示的な実施形態においては、ＳＩＢ１、ＳＩＢ３、ＳＩＢ４、およびＳＩＢ６がブロードキャストトランスポートチャネルにマッピングされてブロードキャストトランスポートチャネル上で送信されるのに対して、ＳＩＢ２が共有トランスポートチャネルにマッピングされて共有トランスポートチャネル上で送信されることを、移動体端末は判定することができる。
【００８９】
上述したように、論理チャネルからトランスポートチャネルへのマッピングを受信側の移動体端末に示すのに、第１層アウトバンド識別を使用する。この目的のため、マッピングの識別情報を、関連付けられる制御チャネル上で送信する（「識別情報」を参照）。この識別情報としては、例えば、受信側においてトランスポートチャネルがマッピングされる論理チャネルのデフォルトの識別子、または設定可能な識別子を使用することができる。これらの識別子はＭＩＢで送信することもできる。
【００９０】
これらの識別子は、例えば以下のＨＥＸ値とすることができる。
■  ０ｘ００００  ００ＦＦ  論理チャネルＢＣＣＨ（ブロードキャスト制御チャネル）がＳＤＣＨにマッピングされている
■  ０ｘ０１００  ０１ＦＦ  論理チャネルＰＣＣＨ（ページング制御チャネル）がＳＤＣＨにマッピングされている
■  ０ｘ０２００  ＦＦＦＦ  論理チャネルＤＣＣＨ／ＤＴＣＨ（個別制御チャネル／個別トランスポートチャネル）がＳＤＣＨにマッピングされている
使用する識別子は、デフォルト値とするか、またはシステムによって設定することができる。
【００９１】
共有トランスポートチャネルに関連付けられる制御チャネルは、共有トランスポートチャネル上でのＳＩＢのスケジューリングを示す制御情報を含んでいる。この制御情報は、共有チャネルにマッピングされている（１つ以上の）ＳＩＢについて、その共有チャネル上でのＳＩＢそれぞれの時間軸上ポジションを少なくとも示すことができる。本発明の別の実施形態においては、関連付けられる制御チャネル上の制御情報は、上の表３に示したようなスケジューリング情報であり、チャンク割り当て、データ変調、およびトランスポートブロックのサイズに関する情報を含むことができる。本発明の実施形態によると、送信フォーマットのパラメータは、上に記載した非特許文献５と同様に定義することができる。
【００９２】
従って、図１０に示した例示的な実施形態においては、ＭＩＢの制御情報は、ＳＩＢ２が共有トランスポートチャネルにマッピングされていることを移動体端末に示し、その一方で、関連付けられる制御チャネル上の、ＳＩＢの制御情報が、共有チャネル上でのＳＩＢ２の時間軸上ポジションおよび送信フォーマットを受信側の移動体端末に示す。
【００９３】
本発明の一実施形態によると、時間軸上ポジションは、共通のタイミングを基準として、動的に変更されるスケジューリング情報として指定することができる。例示的な実施形態は、例えば、前述した非特許文献４に記載されている。上述したように、送信フォーマットは、チャンク割り当て、データ変調、およびトランスポートブロックのサイズを少なくとも示すことができる。さらには、具体的には言及しないが、関連付けられる物理制御チャネル（例えばＳＣＳＣＨ）の構成設定も必要なことがある。
【００９４】
単なる例示を目的として、ＵＭＴＳシステムにおけるブロードキャストシステム情報の送信の説明に戻る。下り共有トランスポートチャネルのスケジューリングには、第１層でのアウトバンド識別が使用・送信されるのに対して、ブロードキャストトランスポートチャネルを介して伝えられるシステム情報ブロックのスケジューリング情報は、ブロードキャストトランスポートチャネルのマスター情報ブロックの中で、すなわち第２層トランスポートブロックの中で送信される。ブロードキャストトランスポートチャネルの構成設定は、例えば、準静的とすることができるのに対して、共有下りトランスポートチャネルの構成設定は、準静的または動的とすることができる。本発明のこの実施形態において、共有トランスポートチャネルを動的に構成設定できるという柔軟性は、無線リソースの利用の観点から有利であり、なぜなら、ブロードキャストシステム情報の高速スケジューリングを効果的にサポートできるためである。
【００９５】
本発明の例示的な実施形態においては、共有トランスポートチャネルはＵＭＴＳシステムの共有下りチャネル（ＳＤＣＨ）とすることができるのに対して、ブロードキャストトランスポートチャネルはブロードキャストチャネル（ＢＣＨ）とすることができる。ＳＤＣＨに関連付けられる制御チャネルは、共有制御シグナリングチャネル（ＳＣＳＣＨ）とすることができる。
【００９６】
図１２は、本発明の別の実施形態による、ブロードキャストシステム情報のシステム情報ブロックから、ブロードキャストトランスポートチャネルおよび共有トランスポートチャネルへの別の例示的なマッピング（第２層インバンド識別を使用する）を示している。
【００９７】
図１２に示した例示的な実施形態においては、共有チャネルが使用され、識別のための、関連付けられる（物理）制御チャネルを必要としない。図１０および図１１に関連して説明した本発明の実施形態の場合と同様に、図１２に示した実施形態においても、ブロードキャストシステム情報をブロードキャストトランスポートチャネルおよび共有トランスポートチャネルにマッピングする。論理チャネルからトランスポートチャネルへのマッピングを示す識別子（「識別情報」）と、共有チャネル（例えばＳＤＣＨ）の準静的構成設定の情報（タイミングおよび送信フォーマット）と、関連付けられる物理制御チャネル（例えばＳＣＳＣＨ）の構成設定とが、インバンドで送信される。すなわち、両方の情報が第２層において送信される。例えば、識別情報（「識別情報」）を共有トランスポートチャネルの第２層パケットのヘッダの中で提供でき、その一方で、共有チャネルの構成設定情報をＭＩＢの中で提供することができる。
【００９８】
識別子（ＩＤ）は、上述したように、デフォルトの識別子とすることができ、あるいは、ブロードキャストトランスポートチャネルのＭＩＢを通じて設定する／割り当てることができる。図１３は、図１２におけるシステム情報ブロックのマッピングにおいて使用されるマスター情報ブロックの例示的なフォーマットを示している。ブロードキャストトランスポートチャネルにマッピングされているＳＩＢの制御情報の構造は、図１１に示したＭＩＢにおける構造に似ている。さらに、ＭＩＢ制御情報のうち、共有トランスポートチャネルにマッピングされているＳＩＢの制御情報は、ＳＩＢそれぞれがマッピングされている共有トランスポートチャネルの指示情報を含むことができる。
【００９９】
以下では、複数の異なる実施形態による、ブロードキャスト制御論理チャネルのブロードキャストシステム情報の個々の部分を転送するシステム情報ブロックのマッピングについて説明する。図１４〜図１８に関連して説明する本発明の以下の実施形態においては、ブロードキャストシステム情報を、ブロードキャストトランスポートチャネルまたは共有トランスポートチャネルにマッピングされているシステム情報ブロックにおいて、第１層アウトバンド識別（図１０および図１１）または第２層インバンド識別（図１２および図１３）のいずれかを使用して送信する。以下に説明するように、マッピングは、例えば、ＳＩＢそれぞれに固有な１つ以上の特性、あるいはＳＩＢを受信する移動体端末に固有な１つ以上の特性に基づいて、行うことができる。
【０１００】
図８および図９は、ブロードキャストトランスポートチャネルを通じてブロードキャスト情報を送信するときの、時間軸上の状況を示している。図８は、スペクトル割り当て５ＭＨｚ、ブロードキャストデータレート１６ｋｂｐｓの場合を示している。図９は、スペクトル割り当て１０ＭＨｚ、ブロードキャストデータレート３２ｋｂｐｓの場合を示している。
【０１０１】
図１４〜図１８においては、５ＭＨｚまたは１０ＭＨｚのいずれかのスペクトル割り当てを想定しており、データレート１６ｋｂｐｓまたは３２ｋｂｐｓは、ブロードキャストトランスポートチャネルおよび共有トランスポートチャネルの間で（通常では不均一に）分散している。ブロードキャストシステム情報をブロードキャストトランスポートチャネルおよび共有トランスポートチャネルにマッピングすることによって、ブロードキャストシステム情報がブロードキャストトランスポートチャネルのみにマッピングされる場合と比較して、ブロードキャストシステム情報の、より柔軟な送信方式とすることができる。例えば、図１５においては、ブロードキャストトランスポートチャネルおよび共有トランスポートチャネルのデータレートが３：１の比に分割されており、なぜなら、後から説明するように、共有チャネルにおける結果のデータレートが、ＳＩＢ１を共有トランスポートチャネルを通じて１つのＴＴＩ内で送信するのに十分であるためである。
【０１０２】
なお、図８、図９、および図１４〜図１８では、実際のリソース利用状況を正確には示していない。
【０１０３】
本発明の一実施形態によると、ＳＩＢから共有トランスポートチャネルまたはブロードキャストトランスポートチャネルのいずれかへのマッピングを決定するうえでベースとなる基準として、移動体端末にとっての、各ＳＩＢの情報の重要度とすることができる。
【０１０４】
移動体端末にとって重要な情報としては、例えば、システムアクセスおよび基本的なモビリティ手順を実行するうえで、移動体端末が受信し、格納し、および最新状態に維持しておく必要のあるシステム情報とすることができる。
【０１０５】
いま、例示のみを目的として、ＵＭＴＳシステムを考えると、システムアクセスのためには、シグナリング接続（シグナリング無線ベアラ）を確立することを目的とする手順が指定されることがある。従って、この例示的なシナリオにおいては、重要な情報は、シグナリング接続を確立するうえで移動体端末に必要な情報である。一方で、基本的なモビリティ手順では、ネットワークがユーザの位置をトラッキングエリアレベルで（シグナリング接続を確立せずに）追跡する、およびセルレベルで（シグナリング接続を確立して）追跡することを目的とする手順が指定される。
【０１０６】
重要な情報が上記のように定義されるとき、表５に示したブロードキャストシステム情報の例示的な分類を考えると、ＳＩＢ１、ＳＩＢ２、ＳＩＢ３、ＳＩＢ５、ＳＩＢ６、ＳＩＢ１７、およびＳＩＢ１８を、移動体端末にとって重要な情報として分類することができ、なぜなら、これらのＳＩＢは、システムアクセスおよび基本的なモビリティ手順を実行するうえで必要であるためである。これに対して、例えば、ＳＩＢ１３およびＳＩＢ１５は、移動体端末にとって重要ではない（オプションの）情報として分類することができ、なぜなら、これらのＳＩＢは、システムアクセスおよび基本的なモビリティ手順を実行するうえで必要ではないためである。
【０１０７】
図１４は、本発明の一実施形態による例示的なマッピングとして、システム情報ブロックから、スペクトル割り当て５ＭＨｚおよびデータレート８ｋｂｐｓを有する共有トランスポートチャネルと、同様にスペクトル割り当て５ＭＨｚおよびデータレート８ｋｂｐｓを有するブロードキャストトランスポートチャネルとへのマッピング、を示している。図１４は、図８に関連して説明した問題を克服するマッピングを提案しており、図８では、移動体端末は、重要なＳＩＢ８を取得するために２つの連続するＴＴＩを受信しなければならなかった。図１４においては、ＳＩＢ８が共有トランスポートチャネルにマッピングされており、これにより、ＳＩＢ８を１つのＴＴＩにおいて送信することができ、従って、移動体端末の電力消費量が減少する。さらには、ＭＩＢをＳＩＢ８と同時に（すなわち同じＴＴＩの中で）送信することができ、これにより、移動体端末は、図８におけるシナリオと比較して、ＳＩＢ８の中の重要な情報をより迅速に取得することができる。
【０１０８】
図１４に示した例示的な実施形態においては、ＳＩＢ８を共有チャネルにマッピングすることは、移動体端末にとっての、ＳＩＢ８に含まれている情報の重要度に基づいている。別の基準として、ＳＩＢのサイズとすることができる。例えば、所定のしきい値よりも大きいＳＩＢを共有トランスポートチャネルにマッピングすることができる。このオプションは、例えば、ブロードキャストトランスポートチャネルのＳＩＢを送信するのにいくつかのＴＴＩが必要である場合、もしくは、ブロードキャストトランスポートチャネルに使用されるデータレートよりも高いデータレートにおいて共有トランスポートチャネルを送ることができる場合、またはその両方の場合に有利であり得る。
【０１０９】
図１５は、本発明の一実施形態による例示的なマッピングとして、システム情報ブロックから、スペクトル割り当て１０ＭＨｚおよびデータレート８ｋｂｐｓを有する共有トランスポートチャネルと、同様にスペクトル割り当て１０ＭＨｚおよびデータレート２４ｋｂｐｓを有するブロードキャストトランスポートチャネルとへのマッピングを示している。この例示的な実施形態は、図９におけるシステム情報の割り当ての改良を示しており、図９において、移動体端末に必要な情報を含んでいるのはＳＩＢ１のみである（ＭＩＢは、送信されるたびに読み取らなくてもよいことがある）。移動体端末は、図９のＳＩＢ１の内容のみを必要としているが、１つのＴＴＩの中でブロードキャストトランスポートチャネル上でブロードキャストされる内容全体を読み取る必要があり、なぜなら、一般に受信機は、ＴＴＩ全体の中のデータを受信するように設計されているためである。
【０１１０】
図１５に示した実施形態によると、移動体端末にとって重要な情報を含んでいる（１つ以上の）ＳＩＢを共有トランスポートチャネルにマッピングし、その一方で、オプションの情報、すなわち移動体端末にとって重要ではない情報を伝えるＳＩＢをブロードキャストトランスポートチャネルにマッピングする。いま、図１５におけるＳＩＢ２およびＳＩＢ３の内容がオプションの情報であり、移動体端末がこのＴＴＩの中のＭＩＢを読み取る必要がないものと想定すると、移動体端末は、ＳＩＢ１を伝える共有トランスポートチャネルを読み取るのみでよく、このＴＴＩにおいてブロードキャストトランスポートチャネルを読み取らないことにより、電力を節約することができる。
【０１１１】
さらに、共有トランスポートチャネルおよびブロードキャストトランスポートチャネルにおけるデータレートが互いに変化しうることを考慮すると、ブロードキャストトランスポートチャネルよりも低いデータレートを提供する共有トランスポートチャネルにＳＩＢをマッピングする別の利点として、共有トランスポートチャネル上で送信されるＳＩＢの中の送信情報の信頼性を高めることができる。データレートが低いことは、ブロードキャスト制御チャネルの構成設定と比較して、より低い符号化レート、もしくは、より低い次数の変調方式、またはその両方が使用されることを意味するため、共有トランスポートチャネルを介して送信される情報の方が信頼性が高い。ＵＭＴＳシステムにおいては、ブロードキャストトランスポートチャネルの構成設定を静的とすることができ、従って、そのデータレートが変化しないことがある。
【０１１２】
ＳＩＢを共有トランスポートチャネルまたはブロードキャストトランスポートチャネルにマッピングするうえで考慮することのできる別の基準として、特定のセルの中で移動体端末によってサポートされる機能とすることができる。例えば、セル内に現在存在しているいずれの移動体端末も、ＧＰＳ（グローバルポジショニングシステム）に基づくポジショニングをサポートしていない場合、それに関連するＳＩＢを、ブロードキャストトランスポートチャネル上でのブロードキャストから省くことができ、代わりに、共有トランスポートチャネルを介して送信することができる。ＧＰＳ接続をサポートしている移動体端末がそのセルにハンドオーバされる場合、関連するＳＩＢを、共有トランスポートチャネルにおいて不連続受信（ＤＲＸ）周期の間に送信することができ、これは有利である。従って、リソースをユーザプレーンデータと動的に共有することができる。
【０１１３】
図１６は、本発明の一実施形態による、ＳＩＢそれぞれの中の情報の変動性に基づいて、ＳＩＢを共有トランスポートチャネルまたはブロードキャストトランスポートチャネルにマッピングする方法を示している。変動性の高いブロードキャストシステム情報を含んでいるＳＩＢを、共有トランスポートチャネルにマッピングすることができる。いま、上の表５に示したブロードキャストシステム情報の分類を考えると、例えば、物理チャネルの構成設定、干渉、および動的な持続性レベルを、頻繁に変更される情報を含んでいるＳＩＢとみなすことができる。さらに、上述したように、ブロードキャストトランスポートチャネルと共有トランスポートチャネルとの間のデータレートの分布に応じて、頻繁に変更されるＳＩＢを共有トランスポートチャネルを介して送信することによって、反復周期を延ばす、あるいはＳＩＢそれぞれの送信の信頼性を高めることができる。
【０１１４】
情報を時間的変動性に従って一般的に分類する目的で、その情報の変更の頻度を記述する率ｆ１およびｆ２（ｆ１＜ｆ２）を考慮することができる。例えば、情報（ＳＩＢ）の変更率ｆとｆ１の関係がｆ＜＝ｆ１である場合、その情報を、時間的変動性の低い情報として分類することができる。同様に、情報の変更率ｆとｆ２の関係がｆ＞＝ｆ２である場合、その情報を、時間的変動性の高い情報とすることができる。さらには、情報の変更率ｆとｆ１およびｆ２との関係がｆ１＜ｆ＜ｆ２である場合、その情報を、時間的変動性が中程度である情報とすることができる。
【０１１５】
図１７は、本発明のさらなる実施形態による、ＳＩＢから共有トランスポートチャネルおよびブロードキャストトランスポートチャネルへの別の可能なマッピングを示している。この例示的な実施形態においては、オプションの情報（すなわち、移動体端末にとって重要ではない情報）のみを共有チャネルにマッピングする。オプションの情報としては、例えば、ＡＮＳＩ  ４２情報、あるいはＧＰＳ情報とすることができる。このマッピングは、移動体端末が、共有トランスポートチャネルを読み取ることなく、必要な情報をブロードキャストトランスポートチャネルから取得するのみでよいことにおいて、有利である。オプションの情報が必要とされる機能を移動体端末がサポートしている場合に限り、その移動体端末が、関連するＳＩＢを共有トランスポートチャネルから読み取ることができる。
【０１１６】
本発明の別の実施形態においては、隣接セル内でブロードキャストシステム情報を送信するために使用される共有トランスポートチャネルの構成設定を、セルの移動体端末にブロードキャストすることができる。従って、図１８は、本発明の一実施形態による、隣接する無線セルにおける共有トランスポートチャネルに関する情報を含んでいるブロードキャストシステム情報のシステム情報ブロックから、ブロードキャストトランスポートチャネルおよび共有トランスポートチャネルへのマッピングと、隣接する無線セルへの移動体端末のハンドオーバとを示している。この例示的な実施形態においては、システムブロードキャスト情報のうち重要な情報、すなわち、システムアクセスおよび基本的なモビリティ手順を実行するために必要な情報を移動体端末に提供するのに、セルそれぞれにおける共有トランスポートチャネルを使用するものと想定することができる。
【０１１７】
図１８においては、時刻ｎ＋１（時刻は、特定の開始時刻から経過したＴＴＩの数によって表す）において、移動体端末がブロードキャストトランスポートチャネルを介してＭＩＢの受信を開始する。さらに、無線セルのそれぞれにおいて、ＳＩＢ８が、システムアクセスおよび基本的なモビリティ手順を実行するうえで必要な情報を含んでいるものと想定することができる。斜線のブロックは、情報を受信する移動体端末が、情報の受信時にソースセル内に位置していることを示している。時刻ｎ＋１に続くＴＴＩにおいて受信されるＭＩＢは、（１つ以上の）隣接セルにおいてＳＩＢ８がブロードキャストされる共有トランスポートチャネルの指示情報を含んでいることができる。あるいは、指示情報を含んでいるＳＩＢをＭＩＢによって指定することができる（例えば、時刻ｎから始まるＴＴＩにおいて移動体端末が読み取るＳＩＢ３）。
【０１１８】
時刻ｎ＋２の時点で、移動体端末が、そのソースセルから別のセル（ターゲットセル）にハンドオーバされる。移動体端末は、共有トランスポートチャネル上でＳＩＢ８を受信するために必要な制御情報をすでに取得しているため、時刻ｎ＋２においてターゲットセルの共有トランスポートチャネルからＳＩＢ８をただちに読み取ることができる。従って、移動体端末は、時刻ｎ＋３においてブロードキャストトランスポートチャネル上で送信される、ターゲットセルにおける最初のＭＩＢを受信しなくても、時刻ｎ＋４において共有トランスポートチャネルからＳＩＢ８を読み取ることができる。
【０１１９】
より一般的には、（ターゲットセルが含まれる）隣接セルの構成設定に関する情報を、セルの中でブロードキャストシステム情報の一部として提供することができる。隣接セルに関する構成設定情報は、例えば、システム情報ブロックに含めることができ、あるいは、ＭＩＢの一部として、無線セルの移動体端末に提供することができる。この構成設定情報は、隣接セルそれぞれにおける共有トランスポートチャネルおよびブロードキャストトランスポートチャネルを介してブロードキャストシステム情報を送信するために使用される各マッピングに応じたものとすることができる。
【０１２０】
図１０に示した構成設定を使用する場合、ＭＩＢは、（１つ以上の）隣接セルにおける共有トランスポートチャネルに関連付けられている制御物理チャネルのチャンク割り当て、および場合によっては変調形式、トランスポートブロックのサイズなどを含んでいることができる。この場合、隣接セルにおける関連付けられている物理制御チャネルは、その隣接セルにおける共有トランスポートチャネルのチャンク割り当て、変調形式、トランスポートブロックのサイズなどを含んでいる。この情報は、隣接セルにおいて動的ベースで変更することができる。
【０１２１】
あるいは、図１２に示した構成設定を使用するときには、ソースセルにおけるＭＩＢが、（１つ以上の）隣接セルにおける共有トランスポートチャネルのチャンク割り当て、変調形式、トランスポートブロックのサイズなどを含んでいることができる。この情報は、例えば、隣接セルにおいて準静的ベースで変更することができる。
【０１２２】
本発明のさまざまな例示的な実施形態を示している図１０〜図１８においては、複数の異なるＳＩＢを異なる番号（ＳＩＢ１、ＳＩＢ２、ＳＩＢ３など）によって区別してある。これらの番号は、ＳＩＢそれぞれに含まれている異なる情報を例示的に示すことを意図しているに過ぎない。しかしながら、本発明の別の実施形態においては、ＳＩＢの番号が、例えば表５に示した内容それぞれを示すことができる。
【０１２３】
本発明の別の実施形態は、上述したさまざまな実施形態をハードウェアおよびソフトウェアを使用して実施することに関する。本発明の上記のさまざまな実施形態は、コンピューティングデバイス（プロセッサ）を使用して実施または実行できることを認識されたい。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブルロジックデバイスなどとすることができる。さらに、本発明のさまざまな実施形態は、これらのデバイスの組合せによって実行あるいは具体化することもできる。
【０１２４】
さらに、本発明のさまざまな実施形態は、プロセッサによって実行されるソフトウェアモジュールによって実施する、あるいはハードウェアに直接実装することもできる。さらに、ソフトウェアモジュールとハードウェア実装とを組み合わせることも可能である。ソフトウェアモジュールは、任意の種類のコンピュータ可読記憶媒体、例えば、ＲＡＭ、ＥＰＲＯＭ、ＥＥＰＲＯＭ、フラッシュメモリ、レジスタ、ハードディスク、ＣＤ−ＲＯＭ、ＤＶＤなどに格納することができる。
【図１】
0005532451.tif 000007
【図２】
0005532451.tif 000008
【図３】
0005532451.tif 000009
【図４】
0005532451.tif 000010
【図５】
0005532451.tif 000011
【図６】
0005532451.tif 000012
【図７】
0005532451.tif 000013
【図８】
0005532451.tif 000014
【図９】
0005532451.tif 000015
【図１０】
0005532451.tif 000016
【図１１】
0005532451.tif 000017
【図１２】
0005532451.tif 000018
【図１３】
0005532451.tif 000019
【図１４】
0005532451.tif 000020
【図１５】
0005532451.tif 000021
【図１６】
0005532451.tif 000022
【図１７】
0005532451.tif 000023
【図１８】
0005532451.tif 000024